(57)【要約】【課題】映像入力コネクタを備え、他のＴＶ受像機等の電子機器からの映像を入力して表示装置に表示することができる電子機器を提供することを目的とする。【解決手段】ＰＣは、表示入力コネクタ１８及び映像入力コネクタ１９を備えている。ＴＶ受像機からの映像信号を映像入力コネクタ１９に入力し、外部映像への切替操作を行なうと、ＣＰＵ２１は内部表示信号に代えて映像入力コネクタ１９に対する外部映像信号をノースブリッジ２３からグラフィックスコントローラ３１に出力し、表示パネル１３に表示する。また、他のＰＣから出力される表示信号を表示入力コネクタ１８に入力し、外部表示信号への切替操作を行なうと、スイッチ回路３８がオン状態に、ＬＶＤＳ−Ｒｘ３４がオフ状態に切替えられ、グラフィックスコントローラ３１から出力される表示信号に代えて、表示入力コネクタ１８に入力される外部表示信号が表示パネル１３に送られて表示される。【選択図】    図２
2005107123.tif 000002
【特許請求の範囲】
【請求項１】
表示装置を備えた電子機器において、
外部からの映像信号が入力される映像入力コネクタと、内部表示信号と前記映像入力コネクタに入力される外部映像信号とを切替えてあるいは同時に前記表示装置に表示する表示切替手段とを具備したことを特徴とする電子機器。
【請求項２】
表示装置を備えた電子機器において、
外部からの表示信号が入力される表示入力コネクタと、外部からの映像信号が入力される映像入力コネクタと、内部表示信号と前記表示入力コネクタに外部入力される表示信号あるいは前記映像入力コネクタに外部入力される映像信号とを切替えて前記表示装置に表示する表示切替手段とを具備したことを特徴とする電子機器。
【請求項３】
表示装置を備えた電子機器において、
外部からの表示信号が入力される表示入力コネクタと、外部からの映像信号が入力される映像入力コネクタと、内部表示信号と前記表示入力コネクタに入力される外部表示信号とを切替えて前記表示装置に表示する第１の表示切替手段と、前記内部表示信号と前記映像入力コネクタに入力される外部映像信号とを切替えてあるいは同時に前記表示装置に表示する第２の表示切替手段とを具備したことを特徴とする電子機器。
【請求項４】
前記表示切替手段の表示切替によって待機状態となる回路を低消費電力モードに切替えるモード切替手段を備えたことを特徴とする請求項１、２又は３に記載の電子機器。
【発明の詳細な説明】
【技術分野】
【０００１】
本発明は、表示装置を備えた電子機器に係り、特に外部機器からの映像信号を入力する映像入力コネクタを備えた電子機器に関する。
【背景技術】
【０００２】
従来、電子機器例えばパーソナルコンピュータ（ＰＣ）においては、ＲＧＢ／ＤＶＩ（Digital Visual Interface）等の映像出力コネクタを備え、家庭用のＴＶ受像機（テレビ受像機）と接続してパソコン画面をＴＶ受像機に表示することにより、ＴＶ受像機をモニタ代わりに使用したり、ＤＶＤ（Digital Versatile Disk）ビデオなどの動画データをＴＶ受像機の大画面上で再生できる機能を備えている（例えば、特許文献１参照。）。
【特許文献１】特開２０００−４４１０号公報
【発明の開示】
【発明が解決しようとする課題】
【０００３】
上記のように従来のＰＣ（パーソナルコンピュータ）では、映像出力コネクタを備え、ＰＣの表示信号を映像出力コネクタよりＴＶ受像機に出力して画面に表示させ、ＴＶ受像機をモニタ代わりに使用できる機能を備えている。従来のＰＣ、特にブック型のＰＣでは、表示画面が小さく、ＴＶ受像機をモニタ代わりに使用することで映像信号をＴＶ受像機の大画面上で再生できるという効果があったが、最近のＰＣではブック型であっても表示画面が非常に大きくなっており、ＴＶ受像機をモニタとして使用する必要性が低くなっている。
【０００４】
最近では上記したようにＰＣの表示画面が非常に大きくなってきているので、逆に、小型ＴＶ受像機の映像等を画面の大きなＰＣに入力して表示できる機能が要望されている。しかし、従来のＰＣにおいては、映像出力コネクタは備えているものの、映像入力コネクタを備えているものはなく、ＴＶ受像機からの映像をＰＣに入力して表示することができないという問題があった。
【０００５】
本発明は上記の課題を解決するためになされたもので、映像入力コネクタを備え、他のＴＶ受像機等の電子機器からの映像信号を入力して表示装置に表示することができる電子機器を提供することを目的とする。
【課題を解決するための手段】
【０００６】
本発明は、表示装置を備えた電子機器において、外部からの映像信号が入力される映像入力コネクタと、内部表示信号と前記映像入力コネクタに入力される外部映像信号とを切替えてあるいは同時に前記表示装置に表示する表示切替手段とを具備したことを特徴とする。
【０００７】
また、本発明は、表示装置を備えた電子機器において、外部からの表示信号が入力される表示入力コネクタと、外部からの映像信号が入力される映像入力コネクタと、内部表示信号と前記表示入力コネクタに外部入力される表示信号あるいは前記映像入力コネクタに外部入力される映像信号とを切替えて前記表示装置に表示する表示切替手段とを具備したことを特徴とする。
【発明の効果】
【０００８】
本発明によれば、表示装置を備えた電子機器において、映像入力コネクタを備えることにより、内部表示信号を外部のＴＶ受像機から送られてくる映像信号に切替えて表示したり、内部表示信号及び外部映像信号をマルチウインドウにより同時に表示したりすることができる。また、表示入力コネクタを備えることにより、内部表示信号を他のＰＣからの外部表示信号に切替えて表示装置に表示することができる。
【発明を実施するための最良の形態】
【０００９】
以下、図面を参照して本発明の一実施形態を説明する。  
図１は、本発明をノート型のパーソナルコンピュータに実施した場合の構成例を示す外観斜視図である。図１において、１０はＰＣ（パーソナルコンピュータ）で、ケース本体１１及び蓋体１２からなり、この蓋体１２の内側面に表示装置例えばＬＣＤ（液晶）パネルを用いた表示パネル１３が設けられている。上記蓋体１２は、ケース本体１１の後部にヒンジ１４ａ、１４ｂにより回動可能に保持されている。
【００１０】
上記ケース本体１１には、上面にキーボード（ＫＢ）１５、タッチパッド１６が設けられると共に、内部に回路基板やスピーカ（図示せず）等が配設される。また、ケース本体１１の背面部には、例えばパラレルコネクタ、ＣＲＴ出力コネクタ、Ｓビデオ出力コネクタ、ＵＳＢコネクタ、電源コネクタ等（図示せず）が設けられる。また、ケース本体１１の左側面部には、例えばＤＶＤ−Ｒ／ＲＷドライブ、ヘッドホン出力／オーディオ出力コネクタ、電源スイッチ等（図示せず）が設けられる。更にケース本体１１の右側面部には、例えばＰＣカードスロット１７、表示入力コネクタ（ＲＧＢ／ＤＶＩ（Digital Visual Interface）１８、映像入力コネクタ（コンポジット・ビデオ・コネクタ／Ｓ−ビデオ・コネクタ）１９等が設けられる。上記表示入力コネクタ１８には、他のＰＣ（図示せず）からの表示信号が入力され、映像入力コネクタ１９には他のＴＶ受像機等からの映像信号が入力される。
【００１１】
次に上記ＰＣ１０のケース本体１１側に設けられる処理装置本体の主要回路構成について図２を参照して説明する。  
図２において、２１はＣＰＵ、２２はメインメモリ、２３はノースブリッジ（North Bridge）、２４はサウスブリッジ（South Bridge）である。
【００１２】
ＣＰＵ２１は、システム全体の制御を司るもので、ＢＩＯＳ−ＲＯＭ（図示せず）に格納された制御プログラム（ＢＩＯＳ）に従って動作する。メインメモリ２２は、ＣＰＵ２１による読み書き可能なメモリ装置であり、ＣＰＵ２１の制御動作に伴い、必要なデータを一時保存する。
【００１３】
ノースブリッジ２３は、ＣＰＵ２１とメインメモリ２２、サウスブリッジ２４、グラフィックスコントローラ３１等を接続するブリッジデバイスであり、サウスブリッジ２４は、ノースブリッジ２３とＰＣＩバス２５との間を接続するブリッジデバイスである。また、上記ＰＣＩバス２５には、例えば図１に示したキーボード１５、タッチパッド１６等を含む入力部が接続される。上記キーボード１５、タッチパッド１６等の動作は、キーボードコントローラ（図示せず）により制御される。更に、上記ＰＣＩバス２５には、ビデオデコーダ２６を介して上記映像入力コネクタ１９が接続される。
【００１４】
上記キーボード１５によるキー操作、タッチパッド１６、あるいはマウス等の操作により入力されるデータ、制御指令等は、ＰＣＩバス２５からサウスブリッジ２４、ノースブリッジ２３等を介してＣＰＵ２１へ送られる。ＣＰＵ２１は、上記入力データ等に基づき、メインメモリ２２等を使用して内部表示信号を生成し、ノースブリッジ２３からグラフィックスコントローラ３１へ出力する。
【００１５】
上記グラフィックスコントローラ３１には、ＣＲＴ・出力コネクタ３２及びＳ−ビデオ・出力コネクタ３３が接続されると共に、ＬＶＤＳ−Ｒｘ（Low Voltage Differential Signaling）３４及びＬＶＤＳ−Ｔｘ３５を介して表示パネル１３が接続される。上記ＬＶＤＳは、表示パネル１３、すなわちフラット・パネル・ディスプレイに対するデジタル伝送方式であり、１つの信号を２本の信号線の電位差で伝送する差動型の伝送方式を用いている。
【００１６】
上記グラフィックスコントローラ３１は、通常はＣＰＵ２１の制御に基づいて生成された内部表示信号をＬＶＤＳ−Ｒｘ３４及びＬＶＤＳ−Ｔｘ３５を介して表示パネル１３へ出力している。また、上記グラフィックスコントローラ３１は、キーボード１５等により表示信号を外部に出力する操作が行なわれると、表示信号をＣＰＵ２１の制御に基づいてＣＲＴ・出力コネクタ３２あるいはＳ−ビデオ・出力コネクタ３３へ出力する。
【００１７】
また、上記映像入力コネクタ１９に外部のＴＶ受像機等から映像信号が入力された場合、この映像信号は、ビデオデコーダ２６でデコードされた後、サウスブリッジ２４を介してノースブリッジ２３へ送られる。このときキーボード１５等から内部表示信号を外部表示信号に切替える操作を行なうと、ＣＰＵ２１は映像入力コネクタ１９からビデオデコーダ２６及びサウスブリッジ２４を介してノースブリッジ２３に送られてきた外部表示信号を内部表示信号に代えてグラフィックスコントローラ３１に出力する。グラフィックスコントローラ３１は、上記ＣＰＵ２１により切替えられた外部表示信号をＬＶＤＳ−Ｒｘ３４及びＬＶＤＳ−Ｔｘ３５を介して表示パネル１３に出力して表示する。  
この場合、上記内部表示信号と外部表示信号を表示パネル１３上にマルチウインドウで同時に表示することも可能である。
【００１８】
上記内部表示信号と外部表示信号の表示形態は、例えばキー操作に基づいて表示モードを画面上にウインドウ表示し、その表示モードを選択したり、あるいはファンクションキーを用いて直接指定する等の方法により任意に指定することが可能である。
【００１９】
また、上記ＬＶＤＳ−Ｔｘ３５には、表示入力コネクタ１８に他のＰＣから表示信号が入力された場合に、この外部表示信号がＡ／Ｄ変換器３６、ビデオ信号変換回路３７、スイッチ回路３８を介して入力される。上記ビデオ信号変換回路３７は、Ａ／Ｄ変換器３６により変換されたデジタル信号をＬＶＤＳ−Ｔｘ３５が処理できる信号に変換する回路である。また、上記スイッチ回路３８は、通常はオフ状態に保持されており、表示入力コネクタ１８からＬＶＤＳ−Ｔｘ３５への外部入力が禁止されている。
【００２０】
上記の状態において、キーボード１５等の操作により外部／内部の入力切替を「外部」に切替えると、キーボードコントローラからの指示によりスイッチ回路３８がオン状態に切替えられ、表示入力コネクタ１８への外部入力がＡ／Ｄ変換器３６、ビデオ信号変換回路３７及びスイッチ回路３８を介してＬＶＤＳ−Ｔｘ３５に送られ、表示パネル１３に表示される。このときＬＶＤＳ−Ｒｘ３４はオフ状態に切替えられ、グラフィックスコントローラ３１からＬＶＤＳ−Ｔｘ３５への入力が遮断される。
【００２１】
次に、上記実施形態における表示処理動作について、図３に示すフローチャートを参照して説明する。  
キーボード１５によるキー操作、タッチパッド１６、あるいはマウス等の操作により入力されるデータは、ＰＣＩバス２５、サウスブリッジ２４、ノースブリッジ２３等を介してＣＰＵ２１へ送られる。
【００２２】
ＣＰＵ２１は、上記入力データに基づき、メインメモリ２２等を使用して内部表示信号を生成する（ステップＡ１）。このときＣＰＵ２１は、映像入力コネクタ１９に対する外部切替操作、すなわち外部のＴＶ受像機等から送られてくる外部映像信号を選択する操作が行なわれたかどうかをチェックし（ステップＡ２）、外部切替操作が行なわれていなければ、次に上記映像入力コネクタ１９に入力される外部映像信号と内部表示信号とを同時に表示する操作が行なわれたかどうかをチェックし（ステップＡ３）、同時表示操作が行なわれていなければ内部表示信号をノースブリッジ２３を経由してグラフィックスコントローラ３１へ出力する。
【００２３】
また一方、表示入力コネクタ１８に対する外部切替操作、すなわち他のＰＣから送られてくる外部表示入力を選択する操作が行なわれたどうかがチェックされ（ステップＡ４）、外部切替操作が行なわれていなければ、スイッチ回路３８がオフ状態で、かつＬＶＤＳ−Ｒｘ３４がオン状態に保持されているので、上記グラフィックスコントローラ３１から出力される内部表示信号がＬＶＤＳ−Ｒｘ３４及びＬＶＤＳ−Ｔｘ３５を経由して表示パネル１３へ送られる（ステップＡ５）。
【００２４】
上記のように通常の状態では、ＣＰＵ２１の制御に従って生成された内部表示信号がグラフィックスコントローラ３１から表示パネル１３に送られて表示される。
【００２５】
そして、外部に設けられているＴＶ受像機の映像信号（コンポジット・ビデオ信号またはＳ−ビデオ信号）をＰＣ１０の表示パネル１３に表示する場合には、上記ＴＶ受像機から出力される映像信号を映像入力コネクタ１９に入力すると共に、キーボード１５のキー操作によって外部映像への切替操作を行なう。
【００２６】
上記映像入力コネクタ１９に入力された外部映像信号は、ビデオデコーダ２６でデコードされた後、ＰＣＩバス２５及びサウスブリッジ２４を経由してノースブリッジ２３へ送られる。ＣＰＵ２１は、上記外部映像への切替操作をステップＡ２で検知してステップＡ６に進み、上記ノースブリッジ２３に送られてきた外部映像信号を内部表示信号に代えて選択し、グラフィックスコントローラ３１へ出力する。グラフィックスコントローラ３１は、上記ノースブリッジ２３を経由して送られてくる外部映像信号をＬＶＤＳ−Ｒｘ３４及びＬＶＤＳ−Ｔｘ３５を介して表示パネル１３に出力する。
【００２７】
上記のように外部映像への切替操作が行なわれると、ＣＰＵ２１は内部表示信号に代えて映像入力コネクタ１９に対する外部映像信号をノースブリッジ２３からグラフィックスコントローラ３１に出力し、表示パネル１３に表示する。
【００２８】
また、上記映像入力コネクタ１９に外部映像信号が入力されている状態で、内部表示信号と外部映像信号を同時に表示するようにキー操作により指示すると、ＣＰＵ２１は上記の同時表示指示をステップＡ３で検知してステップＡ７に進み、内部表示信号及びノースブリッジ２３に入力される外部映像信号をグラフィックスコントローラ３１に出力すると共に、両信号がマルチウインドウで同時に表示されるように制御する。
【００２９】
グラフィックスコントローラ３１は、ＣＰＵ２１の制御に基づいて上記内部表示信号及び外部映像信号をＬＶＤＳ−Ｒｘ３４及びＬＶＤＳ−Ｔｘ３５を経由して表示パネル１３に出力し、両信号をマルチウインドウで同時に表示する。上記内部表示信号及び外部映像信号の表示比率や表示位置等は、マルチウインドウ制御によって任意に指定することが可能である。
【００３０】
また、他のＰＣの表示信号をＰＣ１０の表示パネル１３に表示する場合には、上記他のＰＣから出力される表示信号を表示入力コネクタ１８に入力すると共に、キー操作によって外部表示信号への切替操作を行なう。この切替操作はキーボードコントローラにより検知され（ステップＡ４）、スイッチ回路３８がオン状態に切替えられると共に、ＬＶＤＳ−Ｒｘ３４がオフ状態に切替えられ（ステップＡ８）、グラフィックスコントローラ３１からＬＶＤＳ−Ｔｘ３５への信号入力が禁止される。
【００３１】
上記他のＰＣから表示入力コネクタ１８に入力された外部表示信号は、Ａ／Ｄ変換器３６でデジタル信号に変換された後、ビデオ信号変換回路３７入力されてＬＶＤＳに対応する信号に変換され、上記スイッチ回路３８及びＬＶＤＳ−Ｔｘ３５を介して表示パネル１３へ送られる。
【００３２】
上記のように表示入力コネクタ１８に対する外部切替操作が行なわれると、スイッチ回路３８がオン状態に切替えられると共にＬＶＤＳ−Ｒｘ３４がオフ状態に切替えられ、グラフィックスコントローラ３１から出力される表示信号に代えて、他のＰＣから表示入力コネクタ１８に入力される外部表示信号が表示パネル１３に送られて表示される。
【００３３】
上記実施形態によれば、他のＰＣからの表示信号が入力される表示入力コネクタ（ＲＧＢ／ＤＶＩ）１８及び外部のＴＶ受像機からの映像信号が入力される映像入力コネクタ（コンポジット・ビデオ・コネクタ／Ｓ−ビデオ・コネクタ）１９を備えることにより、内部表示信号を他のＰＣからの外部表示信号に切替えて表示パネル１３に表示できると共に、内部表示信号を外部のＴＶ受像機からの外部映像信号に切替えて表示したり、上記内部表示信号及び外部映像信号をマルチウインドウにより同時に表示したりすることができる。
【００３４】
従って、例えば小型ＴＶ受像機の映像信号をＰＣ１０に入力して表示パネル１３に表示させたり、ディスプレイを持たないデスクトップ型ＰＣから出力される表示信号をＰＣ１０に入力して表示パネル１３に表示させることができる。また、ＰＣ１０がＴＶ受信用のチューナを備えていない場合であっても、ＴＶ受信用のチューナを備えたＰＣからＴＶ受信信号を出力させ、ＰＣ１０に入力して表示パネル１３に表示させることができる。
【００３５】
また、上記実施形態に係るＰＣ１０において、表示の切替により待機状態となる回路部分については、低消費電力モードに切替えて電力消費を低減することができる。
【００３６】
例えば通常表示及び映像入力コネクタ１９に入力される外部映像信号を表示パネル１３に表示する場合には、表示入力コネクタ１８に接続されているＡ／Ｄ変換器３６及びビデオ信号変換回路３７は待機状態となるので、その動作を停止させる。
【００３７】
また、表示入力コネクタ１８に入力される他のＰＣからの外部表示信号を表示パネル１３に表示させる場合には、Ａ／Ｄ変換器３６及びビデオ信号変換回路３７を動作させると共にスイッチ回路３８をオン状態に切替えるが、通常表示時に必要な回路、すなわち、ＣＰＵ２１、メインメモリ２２、ノースブリッジ２３、サウスブリッジ２４、ビデオデコーダ２６、グラフィックスコントローラ３１が待機状態となるので、これらの回路を停消費モードに切替える。このとき、ＬＶＤＳ−Ｒｘ３４はオフ状態にし、グラフィックスコントローラ３１から出力される信号がＬＶＤＳ−Ｔｘ３５に入力されないようにする。上記待機状態となる回路の動作停止、あるいは低消費電力モードへの切替えは、制御プログラム（ＢＩＯＳ）によって行なわれる。
【００３８】
上記のように表示の切替えにより待機状態となる回路部分については、動作を停止し、あるいは低消費電力モードに切替えて電力消費を低減することができる。
【００３９】
なお、上記実施形態では、電子機器としてブック型のＰＣに実施した場合について示したが、その他、例えばデスクトップ型のＰＣにおいても同様にして実施し得るものである。
【図面の簡単な説明】
【００４０】
【図１】本発明の一実施形態に係るパーソナルコンピュータの蓋を開いた状態を示す外観斜視図。
【図２】同実施形態におけるパーソナルコンピュータの主要部の回路構成を示すブロック図。
【図３】同実施形態における表示切替動作を示すフローチャート。
【符号の説明】
【００４１】
１０…ＰＣ（パーソナルコンピュータ）、１１…ケース本体、１２…蓋体、１３…表示パネル、１４ａ、１４ｂ…ヒンジ、１５…キーボード、１６…タッチパッド、１７…ＰＣカードスロット、１８…表示入力コネクタ、１９…映像入力コネクタ、２１…ＣＰＵ、２２…メインメモリ、２３…ノースブリッジ、２４…サウスブリッジ、２５…ＰＣＩバス、２６…ビデオデコーダ、３１…グラフィックスコントローラ、３２…ＣＲＴ・出力コネクタ、３３…Ｓ−ビデオ・出力コネクタ、３６…Ａ／Ｄ変換器、３７…ビデオ信号変換回路、３８…スイッチ回路。
【図１】
2005107123.tif 000003
【図２】
2005107123.tif 000004
【図３】
2005107123.tif 000005